(57)【要約】【課題】比較的少ない吸引流量から比較的多い吸引流量までの広い範囲にわたって体液を吸引できるようにした体液吸引装置の安全性を向上させること。【解決手段】本発明では、吸引ポンプ(2)に接続した吸引チューブ(3)で体液を吸引する体液吸引装置(1)において、吸引流量を設定するための吸引流量設定手段(7)と、吸引流量設定手段(7)で設定された吸引流量で吸引するように吸引ポンプ(2)を制御するための制御手段(6)とを有し、制御手段(6)は、吸引流量設定手段(7)で設定された吸引流量が所定値以下の場合には、その設定された吸引流量で吸引ポンプ(2)を連続運転可能とする一方、吸引流量設定手段(7)で設定された吸引流量が所定値よりも大きい場合には、その設定された吸引流量で吸引ポンプ(2)を連続運転不可能とするように制御することにした。【選択図】図１
2010136987.tif 000002
【特許請求の範囲】
【請求項１】
吸引ポンプに接続した吸引チューブで体液を吸引する体液吸引装置において、
吸引流量を設定するための吸引流量設定手段と、吸引流量設定手段で設定された吸引流量で吸引するように吸引ポンプを制御するための制御手段とを有し、制御手段は、吸引流量設定手段で設定された吸引流量が所定値以下の場合には、その設定された吸引流量で吸引ポンプを連続運転可能とする一方、吸引流量設定手段で設定された吸引流量が所定値よりも大きい場合には、その設定された吸引流量で吸引ポンプを連続運転不可能とするように制御することを特徴とする体液吸引装置。
【請求項２】
前記制御手段は、吸引流量設定手段で設定された吸引流量が所定値よりも大きい場合には、その設定された吸引流量で吸引ポンプを所定時間運転した後に吸引ポンプの運転を停止するように制御することを特徴とする請求項１に記載の体液吸引装置。
【請求項３】
前記制御手段は、吸引ポンプを駆動するモータの回転数に基づいて吸引ポンプの吸引流量を制御することを特徴とする請求項１又は請求項２に記載の体液吸引装置。
【発明の詳細な説明】
【技術分野】
【０００１】
本発明は、吸引ポンプに接続した吸引チューブで痰や唾液などの体液を吸引するために医療用途で用いられる体液吸引装置に関するものである。
【背景技術】
【０００２】
従来より、患者の痰や唾液などの体液を吸引除去するために、吸引ポンプに接続した吸引チューブで体液を吸引するように構成した体液吸引装置が医療用途で広く利用されている。
【０００３】
従来の体液吸引装置では、１分間当たり数リットル程度の比較的多い吸引流量で体液を短時間で吸引するように構成されており、介護者が数時間おきに体液吸引装置を用いて患者の体液を吸引除去するようにしていた。
【０００４】
しかしながら、上記体液吸引装置では、人工呼吸器を装着した患者の場合、切開した気管に取付けられた気管カニューレから人工呼吸器を一旦取外した後に気管カニューレに体液吸引装置の吸引チューブを挿入して吸引除去を行うといった体液の吸引除去作業を数時間おきに行う必要があり、介護者が患者に一晩中つきっきりで体液の吸引除去作業を行わなければならず、介護者の負担が大きく使い勝手が良好とは言えない装置となっていた。
【０００５】
そのため、本発明者は、下記特許文献１に開示したように、従来の気管カニューレ及び体液吸引装置に改良を施して、比較的多い吸引流量で体液を短時間で吸引するだけでなく、１分間当たり数百ミリリットル程度の比較的少ない吸引流量で体液を連続して吸引することもできるようにした。
【０００６】
【特許文献１】特開２００７−３０７１８５号公報
【発明の開示】
【発明が解決しようとする課題】
【０００７】
ところが、体液吸引装置で比較的少ない吸引流量から比較的多い吸引流量までの広い範囲で体液を吸引することができるようにした場合には、比較的少ない吸引流量であれば連続して体液を吸引しても患者の身体に負担をかけることはないが、比較的多い吸引流量で長時間にわたって連続して体液を吸引してしまうと、患者の身体に負担を強いることになり危険性が増大してしまうといった課題がある。
【課題を解決するための手段】
【０００８】
そこで、請求項１に係る本発明では、吸引ポンプに接続した吸引チューブで体液を吸引する体液吸引装置において、吸引流量を設定するための吸引流量設定手段と、吸引流量設定手段で設定された吸引流量で吸引するように吸引ポンプを制御するための制御手段とを有し、制御手段は、吸引流量設定手段で設定された吸引流量が所定値以下の場合には、その設定された吸引流量で吸引ポンプを連続運転可能とする一方、吸引流量設定手段で設定された吸引流量が所定値よりも大きい場合には、その設定された吸引流量で吸引ポンプを連続運転不可能とするように制御することにした。
【０００９】
また、請求項２に係る本発明では、前記請求項１に係る本発明において、前記制御手段は、吸引流量設定手段で設定された吸引流量が所定値よりも大きい場合には、その設定された吸引流量で吸引ポンプを所定時間運転した後に吸引ポンプの運転を停止するように制御することにした。
【００１０】
また、請求項３に係る本発明では、前記請求項１又は請求項２に係る本発明において、前記制御手段は、吸引ポンプを駆動するモータの回転数に基づいて吸引ポンプの吸引流量を制御することにした。
【発明の効果】
【００１１】
そして、本発明では、以下に記載する効果を奏する。
【００１２】
すなわち、本発明では、吸引ポンプに接続した吸引チューブで体液を吸引する体液吸引装置において、吸引流量を設定するための吸引流量設定手段と、吸引流量設定手段で設定された吸引流量で吸引するように吸引ポンプを制御するための制御手段とを有し、制御手段は、吸引流量設定手段で設定された吸引流量が所定値以下の場合には、その設定された吸引流量で吸引ポンプを連続運転可能とする一方、吸引流量設定手段で設定された吸引流量が所定値よりも大きい場合には、その設定された吸引流量で吸引ポンプを連続運転不可能とするように制御することにしているために、使用者が誤って比較的多い吸引流量で長時間にわたって連続して体液を吸引してしまうのを未然に防止することができ、体液吸引装置の安全性を向上させることができる。
【００１３】
特に、吸引流量設定手段で設定された吸引流量が所定値よりも大きい場合には、その設定された吸引流量で吸引ポンプを所定時間運転した後に吸引ポンプの運転を停止するように制御した場合には、所定時間だけ比較的多い吸引流量で体液の吸引を行うことができ、体液吸引装置で比較的少ない吸引流量から比較的多い吸引流量まで良好に体液を吸引することができ、体液吸引装置の使い勝手を向上させることができる。
【００１４】
また、吸引ポンプを駆動するモータの回転数に基づいて吸引ポンプの吸引流量を制御するようにした場合には、吸引流量を計測するための流量計などを設けなくても吸引流量の制御を容易に行うことができ、体液吸引装置の構成を簡単なものとして低コスト化を図ることができる。
【発明を実施するための最良の形態】
【００１５】
以下に、本発明に係る体液吸引装置の具体的な構成について図面を参照しながら説明する。
【００１６】
図１に模式的に示すように、体液吸引装置１は、吸引ポンプ２に吸引チューブ３を収容容器４を介して接続し、吸引ポンプ２の吸引力（負圧力）によって吸引チューブ３で患者の痰や唾液などの体液を吸引し、吸引した体液を収容容器４に収容するように構成している。なお、使用に際しては吸引チューブ３の先端に専用のカテーテルが接続されることもある。
【００１７】
また、体液吸引装置１は、吸引ポンプ２に駆動用のモータ５を接続し、モータ５にＣＰＵやインターフェースなどから構成した制御手段６を接続し、制御手段６にスイッチや表示器などから構成した吸引流量設定手段７を接続している。
【００１８】
そして、体液吸引装置１は、使用者が吸引流量設定手段７を操作することによって吸引ポンプ２による吸引流量を任意に設定することができ、制御手段６でモータ５の回転数を制御することによって吸引流量設定手段７で設定された吸引流量で吸引するように吸引ポンプ２を制御するようにしている。
【００１９】
さらに、体液吸引装置１は、吸引ポンプ２と収容容器４とを連結チューブ８で接続し、連結チューブ８の中途部にフィルタ９を介設するとともに、連結チューブ８の中途部に分岐チューブ10を分岐接続し、分岐チューブ10に減圧弁などから構成した吸引圧力調整手段11と圧力計12とを接続し、吸引圧力調整手段11にスイッチや表示器などから構成した吸引圧力設定手段13を接続している。
【００２０】
そして、体液吸引装置１は、使用者が吸引圧力設定手段13を操作することによって吸引ポンプ２による吸引圧力を任意に設定することができ、吸引圧力設定手段13で設定された吸引圧力で吸引するように吸引圧力調整手段11を調整するようにしている。
【００２１】
体液吸引装置１は、以上に説明したように構成しており、吸引流量設定手段７によって１分間当たり数百ミリリットル程度の比較的少ない吸引流量から１分間当たり数リットル程度の比較的多い吸引流量までの広い範囲の吸引流量を設定することができるようになっている。
【００２２】
そして、上記体液吸引装置１では、吸引流量設定手段７で設定された吸引流量が所定値（たとえば、１分間当たり500ミリリットル）以下の場合には、その設定された吸引流量で吸引ポンプ２を連続運転可能とする一方、吸引流量設定手段７で設定された吸引流量が所定値よりも大きい場合には、その設定された吸引流量で吸引ポンプ２を連続運転不可能とするように制御手段６で制御するようにしている。
【００２３】
たとえば、吸引流量設定手段７で設定された吸引流量が１分間当たり300ミリリットルに設定された場合には、運転開始操作から運転停止操作がされるまでの間、連続して１分間当たり300ミリリットルで吸引ポンプ２によって体液を吸引するように吸引ポンプ２に接続したモータ５を制御手段６で制御する。これにより、人工呼吸器を装着した患者の場合などであっても比較的少ない吸引流量で体液を連続して吸引することができ、介護者の負担を軽減することができる。
【００２４】
一方、吸引流量設定手段７で設定された吸引流量が１分間当たり１０リットルに設定された場合には、運転開始操作から所定時間（たとえば、３分間）だけ１分間当たり１０リットルで吸引ポンプ２によって体液を吸引するように吸引ポンプ２に接続したモータ５を制御手段６で制御し、所定時間経過後にモータ５の駆動を停止して吸引ポンプ２による吸引を停止するように制御手段６で制御する。これにより、比較的多い吸引流量で長時間にわたって連続して体液を吸引してしまい患者の身体に負担を課してしまうのを未然に防止することができる。
【００２５】
なお、体液吸引装置１は、吸引流量設定手段７で設定された吸引流量が所定値よりも大きい場合、その設定された吸引流量で吸引ポンプ２を連続運転不可能とするように制御手段６で制御すればよく、上述したように、所定時間経過後に停止させてもよく、また、所定時間経過後に所定値まで徐々に連続的に或いは断続的に吸引流量が少なくなるように制御してもよく、さらに、警報を発生するようにしてもよい。
【００２６】
以上に説明したように、上記体液吸引装置１では、吸引ポンプ２に接続した吸引チューブ３で体液を吸引するように構成し、吸引流量を設定するための吸引流量設定手段７と、吸引流量設定手段７で設定された吸引流量で吸引するように吸引ポンプ２を制御するための制御手段６とを有し、制御手段６は、吸引流量設定手段７で設定された吸引流量が所定値以下の場合には、その設定された吸引流量で吸引ポンプ２を連続運転可能とする一方、吸引流量設定手段７で設定された吸引流量が所定値よりも大きい場合には、その設定された吸引流量で吸引ポンプ２を連続運転不可能とするように制御している。
【００２７】
そのため、上記構成の体液吸引装置１では、比較的少ない吸引流量で連続して体液を吸引することができるので、体液吸引装置１の使い勝手を向上させることができ、しかも、使用者が誤って比較的多い吸引流量で長時間にわたって連続して体液を吸引してしまうのを未然に防止することができるので、体液吸引装置１の安全性を向上させることができる。
【００２８】
また、上記体液吸引装置１では、吸引流量設定手段７で設定された吸引流量が所定値よりも大きい場合には、その設定された吸引流量で吸引ポンプ２を所定時間運転した後に吸引ポンプ２の運転を停止するように制御している。
【００２９】
そのため、上記構成の体液吸引装置１では、所定時間だけ比較的多い吸引流量で体液の吸引を行うことができ、体液吸引装置１で比較的少ない吸引流量から比較的多い吸引流量まで良好に体液を吸引することができ、体液吸引装置１の使い勝手を向上させることができる。
【００３０】
さらに、上記体液吸引装置１では、吸引ポンプ２を駆動するモータ５の回転数に基づいて吸引ポンプ２の吸引流量を制御するようにしている。
【００３１】
そのため、上記構成の体液吸引装置１では、吸引流量を計測するための流量計などを設けなくても吸引流量の制御を容易に行うことができ、体液吸引装置１の構成を簡単なものとして低コスト化を図ることができる。
【図面の簡単な説明】
【００３２】
【図１】本発明に係る体液吸引装置を模式的に示す説明図。
【符号の説明】
【００３３】
１  体液吸引装置
２  吸引ポンプ
３  吸引チューブ
４  収容容器
５  モータ
６  制御手段
７  吸引流量設定手段
８  連結チューブ
９  フィルタ
10  分岐チューブ
11  吸引圧力調整手段
12  圧力計
13  吸引圧力設定手段
【図１】
2010136987.tif 000003